(57)【要約】  【課題】部品点数の増加及び構造の複雑化を招来することなく、天板をスライド移動可能にした天板付き家具を提供する。  【解決手段】左右の脚部１ａが、内側縁に連続開口する水平溝ｆを有したフレーム部材Ｆ１をそれぞれ備えており、そのフレーム部材Ｆ１の水平溝ｆに天板２を支持する移動ローラ２０を移動可能に配置した。【選択図】図５
2006102505.tif 000002
【特許請求の範囲】
【請求項１】
左右の脚部に、天板をスライド移動可能に支持させてなるものであって、前記左右の脚部が、内側縁に連続開口する水平溝を有したフレーム部材をそれぞれ備えており、そのフレーム部材の水平溝に前記天板を支持する移動子を移動可能に配置していることを特徴とする天板付き家具。
【請求項２】
移動子が、水平溝内に配されて転動する可動ローラである請求項１記載の天板付き家具。
【請求項３】
水平溝の開口端における溝幅を、フレーム部材の内部に形成される中空部の上下内法寸法よりも幅狭にしている請求項１又は２記載の天板付き家具。
【請求項４】
水平溝内に、天板以外の部材を脚部に取り付けるための固定子を配置している請求項３記載の天板付き家具。
【請求項５】
固定子が、水平溝の開口端に形成される立壁の内面に係止されるナット部材である請求項４記載の天板付き家具。
【請求項６】
左右の脚部の後半部間にはトレーが設けられており、天板は前記トレーを上方に開口する位置と閉止する位置との間でスライド移動可能である請求項１、２、３、４又は５記載の天板付き家具。
【発明の詳細な説明】
【技術分野】
【０００１】
本発明は、天板を脚体にスライド可能に支持してなる天板付き家具に関するものである。
【背景技術】
【０００２】
従来より、天板の後縁部における配線処理の便宜等のために、当該天板が前後方向にスライド可能に支持された天板付き家具が知られている（例えば特許文献１参照）。
【特許文献１】特開２０００−２３７５０号公報
【発明の開示】
【発明が解決しようとする課題】
【０００３】
しかしながら、上記特許文献１記載のものは、天板をスライド移動可能に支持するガイド支持機構を、側板の上部前端面より手前側に延出するガイド支持部と、天板の左右各下面との間に設けた態様であるため、側板とは別に、且つ側板より手前に延出させた専用のガイド支持部を設ける必要があり、部品点数の増加、及び構造の複雑化を招来するというおそれがある。
【０００４】
本発明は、このような不具合に着目してなされたものであって、部品点数の増加及び構造の複雑化を招来することなく、天板をスライド移動可能にした天板付き家具を提供することを目的としている。
【課題を解決するための手段】
【０００５】
本発明は、かかる目的を達成するために、次のような手段を講じたものである。
【０００６】
すなわち、本発明の天板付き家具は、左右の脚部に、天板をスライド移動可能に支持させてなるものであって、前記左右の脚部が、内側縁に連続開口する水平溝を有したフレーム部材をそれぞれ備えており、そのフレーム部材の水平溝に前記天板を支持する移動子を移動可能に配置していることを特徴とする。
【０００７】
このようなものであれば、従来のように別途専用のガイド支持部を設ける必要もなく、しかも左右の脚部の内側縁に前記フレーム部材を配するため、フレーム部材が脚部より手前側（使用縁側）に延出する構造を回避し、構造の簡素化にも資する。
【０００８】
特に、移動子が、水平溝内に配されて転動する可動ローラであれば、天板の円滑なスライド移動を実現することができる。
【０００９】
また、移動子（可動ローラ）が不意に水平溝から抜け落ちることを防止するには、水平溝の開口端における溝幅を、フレーム部材の内部に形成される中空部の上下内法寸法よりも幅狭にすればよい。
【００１０】
一方、水平溝内に、天板以外の部材を脚部に取り付けるための固定子を配置している態様を採用すれば、移動子（可動ローラ）が配される水平溝を利用して固定子をも配することにより、共通の機構（水平溝）を利用して、天板と、天板以外の部材とを配置することができ、好適である。
【００１１】
この場合、固定子が、水平溝の開口端に形成される立壁の内面に係止されるナット部材であることが望ましい。
【００１２】
本発明の好適な適用例としては、左右の脚部の後半部間にはトレーが設けられており、天板は前記トレーを上方に開口する位置と閉止する位置との間でスライド移動可能であるものが挙げられる。
【発明の効果】
【００１３】
本発明は、以上のような構成であるから、部品点数の増加及び構造の複雑化を招来することなく、天板をスライド移動させることができる天板付き家具を提供することが可能となる。
【発明を実施するための最良の形態】
【００１４】
以下、本発明の一実施形態を、図面を参照して説明する。
【００１５】
この実施形態の天板付き家具は、図１〜図３に示すように、構造体である天板支持体１に移動体である天板２及び引出し３を相互に独立してスライド移動し得るように支持させたものである。
【００１６】
具体的に説明すると、天板支持体１は、図４及び図５に示すように、左右の脚部１ａ、１ａ間を後部横架材１１及び中間横架材１２で連結し、前横架材に相当する部位を開放した構成からなるもので、脚部１ａは一対の支柱１３、１３間を側部架材１４で連結した門形をなす。これら後部横架材１１及び側部架材１４には長手方向に沿って内側に連続開口する水平溝ｆを有するフレーム部材Ｆ１が、また中間横架材１２には長手方向に沿って両側に連続開口する水平溝ｆを有するフレーム部材Ｆ２がそれぞれ用いられている。水平溝ｆの溝幅ｆｘは、図７等に示すように、フレーム部材Ｆ１、Ｆ２の内部に形成される中空部の上下内法寸法ＦＸよりも若干幅狭とされ、水平溝ｆの立壁の内面に後述する固定子たるナット部材８（図１８参照）を係止させ得るようにしている。
【００１７】
天板２は、厚み寸法が１０ｍｍ程度の薄板状のもので、側部架材１４の内側に連続開口する水平溝ｆに図６に示すように移動子たる可動ローラ２０を２つ配し、前記可動ローラ２０の支軸に第１可動ブラケット２１及び第２可動ブラケット２２を取り付けて、これら両可動ブラケット２１，２２の上方に形成した天板取付面に天板２の中間部及び後縁部を止着している。両可動ブラケット２１，２２は、その一部に設けた凸部２１ａ、２２ａを水平溝ｆの上下両縁間に差し込むことによって天板取付面の水平状態を保持するものである。そして天板２を、図２及び図７に示すように前方にスライド移動して天板支持体１の奥部領域１Ｂを上方に開放する前方スライド位置２Ｆと、図１及び図８に示すように後方にスライド移動して前記奥部領域１Ｂを閉止する後方スライド位置２Ｂ（通常使用位置）との間で移動可能としている。その際、前縁側の下面を側部架材１４に設けた前縁側支持体である第１固定ローラ２３に添接支持させており、図７に示す前方スライド位置２Ｆと図８に示す後方スライド位置２Ｂとの間で天板２の前縁側の下面をバックアップしている。また、この天板２は、幅方向中央部の撓みを防止するために、図４に示すように中央部下面を中間横架材１２に設けた中間支持体たる第２固定ローラ２４に添接支持させており、図９に示す前方スライド位置２Ｆと図１０に示す後方スライド位置２Ｂとの間で天板２の中央部の下面をバックアップしてその撓みを防止している。
【００１８】
そして、これに伴い天板２に、図１２に示す前方スライド位置２Ｆに係止するための第１ラッチ部材４１と、図１４に示す後方スライド位置２Ｂに係止するための第２ラッチ部材４２と、図１３に示す中間スライド位置２Ｍに係止するための第３ラッチ部材４３とを設けるとともに、天板２が前方スライド位置２Ｆ及び後方スライド位置２Ｂにある図７及び図８の状態で当該天板２の前縁側の上下動を規制する係合構造５１、５２を採用し、さらに天板２が前方スライド位置２Ｆ及び後方スライド位置２Ｂにある図９及び図１０の状態で当該天板２の後縁側の上下動を規制する規制部６１、６２を設けている。
【００１９】
ラッチ部材４１，４２，４３は、天板２の奥行き方向に沿った３箇所に設けられ、それらのラッチ部材４１，４２，４３を所定の移動位置で中間横架材１２の外面に往路及び復路にて段階的に当接させ、天板２を所定の移動位置に係止するものである。
【００２０】
これらのラッチ部材４１，４２，４３は、図１１〜図１７に示すように、支軸ｍ回りに取り付けた天秤状のもので、中間横架材１２が移動方向に対して垂直な第１当接面である立面１２ａ及び移動方向に対して平行な第２当接面である上面１２ｂを有する概略角パイプ状をなすことに関連づけて、バネ４４ｃにより弾性付勢した通常姿勢において前記立面１２ａに対面可能な立面４ａ及び前記上面１２ｂに対面可能な下向面４ｂを有するとともに、立面４ａの下方に中間横架材１２の立面１２ａの中間高さから当該立面１２ａよりも若干高い位置まで傾斜する傾斜面４ｃを設けている。そして、例えば天板２を前方へスライド移動させた場合、ラッチ部材４１が傾斜面４ｃに沿って支軸ｍ回りに天秤動作を行いながら中間横架材１２の上面１２ｂを乗り越えた位置で、図１２（ａ）に矢印で示すようにラッチ部材４１，４２，４３が逆方向の天秤動作を通じて通常姿勢に復帰することにより、ラッチ部材４１の立面４ａ及び下向き面４ｂを中間横架材１２の立面１２ａ及び上面１２ｂに当接ないし近接させるようにしている。そして、その後に天板２を押し込む方向の移動力を受けた場合に、それら立面４ａと立面１２ａとの間、及び下向き面４ｂと上面１２ｂとの当接力が増す方向にラッチ部材４１が中間横架材１２に対して突っ張り、天板２の前方スライド位置２Ｆにおけるラッチ状態を保持するようにしている。
【００２１】
また、この位置から後述するラッチ解除用レバー４５を操作してラッチ部材４１，４２，４３を同図（ｂ）のように中間横架材１２と干渉しない水平姿勢にした後、天板を後方へスライド移動させると、ラッチ部材４１の傾斜面４ｃが中間横架材１２の上面１２ｂを乗り越えた位置で、ラッチ部材４１，４２，４３が天秤動作を通じて通常姿勢に復帰し、引き続くスライド動作によって図１３に示すように立面４ａ及び下向き面４ｂを中間横架材１２の立面１２ａ及び上面１２ｂに当接ないし近接させるようにしている。したがって、その後に天板２を引き続き押し込む方向の移動力を受けても、それら立面４ａと立面１２ａとの間、及び下向き面４ｂと上面１２ｂとの当接力が増す方向にラッチ部材４３が中間横架材１２に対して突っ張るため、天板２の中間スライド位置２Ｍにおけるラッチ状態を保持するようにしている。
【００２２】
さらにまた、この位置から後述するラッチ解除用レバー４５を操作してラッチ部材ラッチ部材４１，４２，４３を同図（ｂ）のように水平姿勢にした後、天板２を後方へスライド移動させると、ラッチ部材４２、４３の傾斜面４ｃが中間横架材１２の上面１２ｂを乗り越えた位置で、ラッチ部材４１，４２，４３が天秤動作を通じて図１４（ａ）の通常姿勢に復帰して、立面４ａ及び下向き面４ｂを中間横架材１２の立面１２ａ及び上面１２ｂに当接ないし近接させるようにしている。したがって、その後に天板２を前方に引き出す方向の移動力を受けても、それら立面４ａと立面１２ａとの間、及び下向き面４ｂと上面１２ｂとの当接力が増す方向にラッチ部材４２が中間横架材１２に対して突っ張るため、天板２の後方スライド位置２Ｂにおけるラッチ状態を保持するようにしている。
【００２３】
ところで、これらのラッチ部材４１，４２，４３は、図１１〜図１７に示すように、ラッチハウジング４０ｘに収容されている。このラッチハウジング４０ｘは、前記天板支持体１と前記天板２との間に存する１０ｍｍ程度の隙間に配置される薄板状のもので、複数箇所に貫通孔４０ａ、４０ｂ、４０ｃを有しており、これらの貫通孔４０ａ、４０ｂ、４０ｃに収容するようにしてその厚み内に、天板２を横架材１２に係止させる場合のみ厚み内から突出する前記ラッチ部材４１，４２，４３と、次に述べるラッチ解除用レバー４５のレバー操作力を前記ラッチ部材に伝達する伝達部材４４とを組み込んでいるものである。貫通孔４０ｃは一部が有底溝になっている。また、ラッチ解除用レバー４５は、前記ラッチハウジング４０ｘとは分離して構成されたラッチハウジング４０ｙに組み込まれている。
【００２４】
ラッチ解除用レバー４５は、鉛直軸ｎ回りに回転可能に取り付けたもので、天板２の前縁部下面における左右２箇所に位置づけた操作縁４５ａ、４５ｂの何れを操作しても、伝達部材４４を介してラッチ部材４１，４２，４３を回転させて横架材１２との係止状態を解除し得るようにしたものである。伝達部材４４は、前記ラッチ解除用レバー４５の回転操作に伴い奥行き方向に前後移動するロッド４４ａと、このロッド４４ａが後方に移動することによってラッチ部材４１，４３を支軸ｍ回りにすくい上げる作動体４４ｂと、ロッド４４ａを前方に付勢してラッチ解除用レバー４５とともにこれらを通常位置にオフセットするバネ４４ｃとを具備してなる。図１５（ａ）→（ｂ）は作動体４４ｂが後方に移動した際にラッチ部材４１，４３に一体的に設けたテーパ状の受力部４１ａ、４３ａに潜り込んでラッチ部材４１，４３を支軸ｍ回りにすくい上げる様子を示している。なお、ラッチ部材４２は、先端４２ｂをラッチ部材４３の先端４３ｂに押し下げられる位置に係わり合わせて支軸ｍ回りに取り付けられているもので、ラッチ部材４３とともに同期作動するように構成されている。
【００２５】
次に、天板２の前縁側の上下動を規制する係合構造５１，５２について説明する。図６〜図８に示すように、前側の可動ローラ２０の支軸に取り付けてある第１可動ブラケット２１には前方に向かってＬ形に突出する第１係合部５１ａが、また天板２の前縁側の下面に取り付けている前記ラッチ解除用レバー４５のレバーハウジング４０ｙには後方に向かってＬ形をなす第２係合部５２ａがそれぞれ設けてあり、対する側部架材１４には、天板２の前方スライド位置２Ｆで前記第１係合部５１ａが到来する部位に前記固定ローラ２３のハウジング２３ｈを利用して切欠状の第１被係合部５１ｂが、また天板２の後方スライド位置２Ｂで前記第２係合部５２ａが到来する部位に同じく前記固定ローラ２３のハウジング２３ｈを利用してスリット状の第２被係合部５２ｂが、それぞれ設けてある。そして、天板２を後方スライド位置２Ｂから前方スライド位置２Ｆまで移動させた際に、図７に示すように天板２側に設けた第１係合部５１ａを天板支持体１の前縁部に設けた第１被係合部５１ｂに係合させて天板の前縁側の上動動作を規制する係合構造５１を構成し、天板２を前方スライド位置２Ｆから後方スライド位置２Ｂまで移動させた際に、図８に示すように天板２側に設けた第２係合部５２ａを天板支持体１の前縁部に設けた第２被係合部５２ｂに係合させて天板２の前縁側の上下動を規制する係合構造５２を構成するようにしている。勿論、第１被係合部５１ｂもスリット状のものにして第１係合部５１ａを係合させた際に天板２の前縁側の上下動を規制するようにしてもよい。
【００２６】
さらに、天板２の後縁側の上下動を規制する規制部６１、６２について説明する。図５及び図１０に示すように、規制部６２は、後部横架材１１の水平溝ｆが後方スライド位置２Ｂにある天板２の後縁部近傍の下面に位置して前方に連続開口することに鑑みて、天板２の後縁部側の下面に水平軸を介してローラ２５を取り付け、天板２の移動に伴ってこのローラ２５を水平溝ｆに係合させるようにしている。さらに、図５及び図９に示すように、規制部６１は、中間横架材１２の水平溝ｆが前方スライド位置２Ｆにある天板２の後縁部近傍の下面に位置して後方に連続開口することに鑑みて、天板２の後縁部側の下面に水平軸を介して前記ローラ２５と同様のローラ２６を取り付け、このローラ２６を水平溝ｆに係合させるようにしている。
【００２７】
一方、引出し３は、図４、図５及び図９等に示すように、引き手部３１、底板３２、左右の側板３３及び背板３４を具備し、幅寸法が天板の幅寸法に略等しく、上下寸法が３０ｍｍ前後に設定された扁平箱状のもので、奥行き寸法が押し込んだ状態で左右の脚部１ａの前半部間に位置する扁平箱状をなす。この天板付き家具を構成する引出し３の奥行き寸法は天板２の奥行き寸法の略半分程度に設定してあり、当該引出し３の後方に、左右の脚部１ａの後半部間に位置づけて固定トレー７を設けている。引出し３は、側部架材１４の側方に連続開口する水平溝ｆに取り付けた前記第１ブラケット２３ｈと、中間横架材１２の前方において側部架材１４の水平溝ｆに取り付けた第２ブラケット３０とに亘って、前記第１可動ブラケット２１と干渉しないようにレール部材であるサスペンションレール３０ａを取り付け、このサスペンションレール３０ａに側板３３を前後スライド可能に支持させたものである。
【００２８】
なお、本実施形態では、前記第１ブラケット２３ｈは前記固定ローラ２３のハウジング２３ｈと共通のもので、それらの機能を備え併せている。
【００２９】
一方、固定トレー７は、前板７１、底板７２及び後板７３を具備するもので、前板７１及び後板７３をそれぞれ中間横架材１２及び後部横架材１１に水平溝ｆを利用して天板２のスライド動作を妨げないように取り付けている。すなわち、天板２は固定トレー７を上方に開放する図２の前方スライド位置２Ｆとその上方を閉止する図１の後方スライド位置２Ｂとの間でスライド移動可能であり、これに対して引出し３は、固定トレー７を閉止している天板２に対して前方に突出して上方に開放される図３の引き出し位置３Ｆと天板２に閉止される図１の押し込み位置３Ｂとの間でスライド移動可能とされている。図６において符号７０で示すものは固定トレー７の取り付け用ブラケットであり、中間横架材１２の後方において側部架材１４の水平溝ｆに取り付けられる。
【００３０】
このように、この天板付き家具は天板２及び引出し３が極めて薄肉である点に特徴を有し、従来の天板付き家具とは大きくその外観を異にするものである。
【００３１】
なお、前記可動ローラ２０は天板支持体１を組み付ける前段階において端部が開放された状態でフレーム部材Ｆ１内に挿入するか、或いは適宜部位にキャップ等で閉止可能な切欠を設けてそこより挿入すればよい。また、前記ブラケット２３ｈ、３０、７０等のレール溝ｆへの取り付けは、図１８に示すような固定子たるナット部材８を利用することが便利である。このナット部材８は、フレーム部材Ｆ１の溝幅ｆｘよりも幅寸法ｗが小さくまたフレーム部材Ｆ１の上下方向の内法寸法ＦＸに略等しい丈ｈを有するもので、このナット部材８は水平溝ｆから内部に挿入した後に自然に略９０°回転するような偏心ウェイト構造をなしている。このようなナット部材８に対して、ブラケット２３ｈ、３０、７０に形成した一対の凸部８０をナット部材８の両縁８ａを抱くように差し込み、その状態でブラケット２３ｈ、３０、７０を貫通させたねじ８１をナット部材８に設けたねじ孔８ｂに締着することによって、ブラケット２３ｈ、３０、７０をフレーム部材Ｆ１に水平溝ｆを利用して固定し得るようにしている。
【００３２】
さらに、この実施形態は、天板２及び引出し３を支持体１に独立してスライド移動可能に支持するとともに、これら天板２及び引出し３を支持体に対して同時に施開錠するロック機構９を設けている。
【００３３】
このロック機構９は、図４、図５並びに図１９〜図２１に示すように、引出し３に設けられて前記スライド方向と直交する方向に突没可能なロック杆９１と、天板２及び支持体１にブラケット９２，９３を利用して設けられる挿通窓９２ａ，９３ａとを具備し、ロック杆９１を両挿通窓９２ａ，９３ａに対し挿脱することによって、天板２及び引出し３を支持体１に対して同時に施開錠し得るようにしたものである。
【００３４】
より具体的には、このロック機構９のロック杆９１はアクチュエータ９４によって電磁的に駆動されるもので、ＩＤカード等の記録媒体からリーダ９５を介して利用者識別子を読み取り、マイクロコンピュータユニット９６において認証がとれた場合のみロック機構９の操作を許可するものである。マイクロコンピュータユニット９６は、ＣＰＵ９６ａ、内部記憶装置９６ｂ、外部記憶装置９６ｃ及び入出力装置９６ｄを備えた通常のもので、内部記憶装置９６ｂ等には認証用のプログラムが格納され、また施開錠の権限を有する者に与えられる利用者識別子を登録する後記の利用者識別子登録部として機能している。そして、ＣＰＵ９６ａがプログラムを逐次読み込んで実行することにより、ロック杆９１を駆動するアクチュエータ９４に作動命令をなす施開錠部９ａと、施開錠の権限を有する者に与えられる利用者識別子を登録した利用者識別子登録部９ｂと、施開錠の権限を有することを証する識別子記録媒体から利用者識別子を読み取る読取部９ｃと、読み取った利用者識別子が前記利用者識別子登録部９ｂに登録してある利用者識別子と合致するか否かを判断する判断部９ｄと、この判断部９ｄにおいて合致していると判断した場合に操作受付部９ｅで受け付けた操作入力に対して施開錠部９ａから作動命令を出力するようにしている。
【００３５】
以上のようにして、本実施形態の天板付き家具は、左右の脚部１ａが、内側縁に連続開口する水平溝ｆを有したフレーム部材Ｆ１をそれぞれ備えており、そのフレーム部材Ｆ１の水平溝ｆに天板２を支持する稼動子たる移動ローラ２０を移動可能に配置しているため、従来のように別途専用のガイド支持部を設ける必要もなく、しかも左右の脚部１ａの内側縁にフレーム部材Ｆ１を配しているため、フレーム部材Ｆ１が脚部１ａより手前側（使用縁側）に延出する構造を回避し、構造の簡素化にも資する。
【００３６】
特に、移動子として、水平溝ｆ内に配されて転動する可動ローラ２０を採用しているため、天板２の円滑なスライド移動を実現することができる。
【００３７】
また、水平溝ｆの開口端における溝幅ｆｘを、フレーム部材Ｆ１の内部に形成される中空部の上下内法寸法ＦＸよりも幅狭にしているので、可動ローラ２０が不意に水平溝ｆから抜け落ちることを確実に防止することができる。
【００３８】
一方、水平溝ｆ内に、天板２以外の部材（具体的には引出し３）を脚部１ａに取り付けるための固定子たるナット部材８を配置しているため、可動ローラ２０が配される水平溝ｆを利用してナット部材８をも配することができ、共通の機構（水平溝ｆ）を利用して、天板２と、天板以外の部材（引出し３）とを配置することが可能となり、好適である。
【００３９】
この場合、固定子として、水平溝ｆの開口端に形成される立壁の内面に係止されるナット部材であるため、簡素な構造を確保することができる。
【００４０】
加えて、左右の脚部１ａの後半部間に固定トレー７が設けられており、天板２が、固定トレー７を上方に開口する前方スライド位置２Ｆと閉止する後方スライド位置２Ｂとの間でスライド移動可能なものであるため、前方スライド位置２Ｆに位置付けた場合には、左右の脚部１ａの後半部に開放される固定トレー７をノートＰＣ等の収納場所として有効に活用することができ、実用性に優れたものとなる。
【００４１】
また、本実施形態に係る天板付き家具は、左右の脚部１ａ間に亘って、天板２及び引出し３を独立してスライド移動可能に支持したものであるため、天板２と略同幅の引出し３を有効に採用することができ、しかも、引出し３が天板２に付随してスライド移動することがないため、別段のロック機構等を用いずとも、天板２のみ或いは引出し３のみを有効に引き出すことができ、使い勝手を良好にするとともに、周囲との干渉も有効に回避することができる。しかも、引出し３も天板２とともに左右の脚部１ａ間に支持され、天板２と略同幅の活用領域の広いものになるため、引出しの利用価値も有効に向上させることが可能となる。このような効果に関する限り、天板２及び引出し３の取付先は共通部材でなくとも効果は同様である。
【００４２】
特にこの実施形態は、押し込んだ状態で引出し３は左右の脚部１ａの前半部間に位置し、左右の脚部１ａの後半部間には固定トレー７が設けられて、天板２は固定トレー７を上方に開放する前方スライド位置２Ｆと閉止する後方スライド位置２Ｂとの間でスライド移動可能であり、引出し３は固定トレー７を閉止している天板２に対して前方に突出して上方に開放される位置と天板２に閉止される位置との間でスライド移動可能とされている。このため、引出し３を通常の使用態様で利用することができるだけでなく、天板２を前方スライド位置２Ｆに移動させることによって後半部に開放される固定トレー７をノートＰＣ等の収納場所として有効に活用することができる。また、固定トレー７が利用できる分、引出し３の引出し量をさほど大きくする必要がなくなり、着座状態で引出し３が着座者の体と干渉することを極力回避して使い勝手を有効に向上させることができる。
【００４３】
また、引出し３及び固定トレー７を略同一高さ位置に配置しているので、引出し３と固定トレー７が重合して天板２と脚部１ａの間隙部分が嵩高くなることを有効に回避して、天板付き家具全体にスマートな外観を呈し、下肢空間も極力確保されたものにすることができる。
【００４４】
さらにこの実施形態は、フレーム部材Ｆ１の水平溝ｆに天板２を支持する移動子たる可動ローラ２０を配置するとともに、その水平溝ｆに引出し３を支持するレール部材たるサスペンションレール３０ａを取り付けるための固定子たるナット部材８を配置しているが、天板２よりも引出し３の方が前方へのスライド率が大きい点、また、水平溝ｆ内における支持要素同士の干渉を回避する必要がある点を踏まえれば、天板２を支持要素である移動子たる稼動ローラ２０により支持し、引出し３を支持要素であるレール部材たるサスペンションレール３０ａにより支持することが有効となる。
【００４５】
また、左右の脚部間１ａに亘って天板２及び引出し３を、それらの脚部１ａに設けた共通部材である側部架材１４に支持させて配置しているため、天板２及び当該天板２と略同幅の引出し３を、共通部材である側部架材１４を利用した簡素な構成を通じて脚部１ａに有効に支持させることができ、引出し３の活用領域も最大限に確保することができる。この場合の効果は、天板２が固定であっても同様である。
【００４６】
具体的には、共通部材である側部架材１４が、内側縁に連続開口する水平溝ｆを有するフレーム部材Ｆ１であり、そのフレーム部材Ｆ１の水平溝ｆに少なくとも天板３を支持する移動子たる可動ローラ２０を配置しているが、天板２は一般に引出し３ほどスライド率が大きくなく、移動子たる可動ローラ２０を用いることでサスペンションレール等のレール部材に代替させ、かつ次に述べる引出し３の支持構造との干渉を有効に回避することができる。
【００４７】
つまりこの実施形態は、フレーム部材Ｆ１の水平溝ｆに引出し３を支持するレール部材であるサスペンションレール３０ａを取り付けるための固定子たるナット部材８を配置しており、天板２を移動子たる可動ローラ２０により支持する構造に対して、引出し３をレール部材であるサスペンションレール３０ａにより支持することで、両者の干渉を有効に回避し得ているものである。
【００４８】
以上、本発明の一実施形態について説明したが、各部の具体的構成は、上述した実施形態のみに限定されるものではない。
【００４９】
例えば、上述した実施形態では、左右の脚部１ａにおいて、天板２を支持する移動子たる可動ローラ２０と、引出し３を支持するサスペンションレール３０ａを固定子たるナット部材８とをフレーム部材Ｆ１である側部架材１４の水平溝ｆに配置したが、移動子及び固定子は適宜取捨選択して配置することができる。
【００５０】
その他の構成も、本発明の趣旨を逸脱しない範囲で種々変形が可能である。
【図面の簡単な説明】
【００５１】
【図１】本発明の一実施形態に係る天板付き家具を天板が後方スライド位置にある状態で示す斜視図。
【図２】同実施形態の天板付き家具を天板が前方スライド位置にある状態で示す斜視図。
【図３】同実施形態の天板付き家具を引出しを引き出した状態で示す斜視図。
【図４】同実施形態の天板付き家具を天板を透視した状態で示す斜視図。
【図５】図４の分解斜視図。
【図６】図５の要部拡大図。
【図７】同実施形態において天板が前方スライド位置にある状態の天板付き家具を側部架材の近傍で切断した部分断面図。
【図８】同実施形態において天板が後方スライド位置にある状態の天板付き家具を側部架材の近傍で切断した部分断面図。
【図９】同実施形態において天板が前方スライド位置にある状態の天板付き家具を幅方向略中央部分で切断した部分断面図。
【図１０】同実施形態において天板が後方スライド位置にある状態の天板付き家具を幅方向略中央部分で切断した部分断面図。
【図１１】同実施形態のラッチ装置を示す平面図。
【図１２】同実施形態のラッチ装置が天板を前方スライド位置に係止する際の作用説明図。
【図１３】同実施形態のラッチ装置が天板を中間スライド位置に係止する際の作用説明図。
【図１４】同実施形態のラッチ装置が天板を後方スライド位置に係止する際の作用説明図。
【図１５】同実施形態のラッチ装置をラッチ解除する際の作用説明図。
【図１６】同実施形態のラッチ装置を示す分解斜視図。
【図１７】図１６に対応した組立斜視図。
【図１８】同実施形態におけるブラケットの取付構造を示す図。
【図１９】同実施形態のロック機構を示す図。
【図２０】同実施形態のロック機構を示す図。
【図２１】同実施形態のロック機構を示す図。
【符号の説明】
【００５２】
１ａ…脚部
２…天板
３…引出し
７…固定トレー
８…固定子（ナット部材）
２０…移動子（可動ローラ）
３０ａ…レール部材（サスペンションレール）
Ｆ１…フレーム部材
ｆ…水平溝
【図１】
2006102505.tif 000003
【図２】
2006102505.tif 000004
【図３】
2006102505.tif 000005
【図４】
2006102505.tif 000006
【図５】
2006102505.tif 000007
【図６】
2006102505.tif 000008
【図７】
2006102505.tif 000009
【図８】
2006102505.tif 000010
【図９】
2006102505.tif 000011
【図１０】
2006102505.tif 000012
【図１１】
2006102505.tif 000013
【図１２】
2006102505.tif 000014
【図１３】
2006102505.tif 000015
【図１４】
2006102505.tif 000016
【図１５】
2006102505.tif 000017
【図１６】
2006102505.tif 000018
【図１７】
2006102505.tif 000019
【図１８】
2006102505.tif 000020
【図１９】
2006102505.tif 000021
【図２０】
2006102505.tif 000022
【図２１】
2006102505.tif 000023